(57)【要約】      （修正有）【課題】簡便な手段で、仕上出側温度制御の精度を向上することによって良好な品質を有する熱延鋼帯を安定して生産することができ、しかも熱延鋼帯の生産性の向上を図ることができる仕上圧延方法の提供。【解決手段】熱間圧延ラインに設置される仕上圧延機１の最終スタンド４から熱延鋼帯２の先端が巻取機の方向へ排出される前の通板速度を一定とし、熱延鋼帯２の先端が最終スタンド４から排出された後に巻取機に噛込むまで、通板速度の加速率をα（ｍ／分／秒）として仕上圧延を行ない、さらに、巻取機が熱延鋼帯の巻取りを開始した後、通板速度の加速率をβ（ｍ／分／秒）とし、かつα＜βとして仕上圧延を引き続き行ない、最終スタンド４の出側における熱延鋼帯の温度が予め設定された閾値を超えると加速率βの付加を停止して仕上圧延を行ない、最終スタンドの出側における熱延鋼帯の温度が閾値以下では加速率βを付加して仕上圧延を行なう方法。【選択図】図１
2016107323.tif 000002
【特許請求の範囲】
【請求項１】
熱間圧延ラインに設置される仕上圧延機の最終スタンドから熱延鋼帯の先端が巻取機の方向へ排出される前の通板速度を一定とし、前記熱延鋼帯の先端が前記最終スタンドから排出された後に巻取機に噛込むまで、通板速度の加速率をα（ｍ／分／秒）として仕上圧延を行ない、さらに、前記巻取機が前記熱延鋼帯の巻取りを開始した後、通板速度の加速率をβ（ｍ／分／秒）とし、かつα＜βとして前記仕上圧延を引き続き行ない、前記最終スタンドの出側における前記熱延鋼帯の温度が予め設定された閾値Ｍを超えると前記加速率βの付加を停止して前記仕上圧延を引き続き行ない、前記最終スタンドの出側における前記熱延鋼帯の温度が前記閾値Ｍ以下では前記加速率βを付加して前記仕上圧延を引き続き行なうことを特徴とする熱延鋼板の仕上圧延方法。
【請求項２】
前記加速率βの付加を停止して一定の通板速度で前記仕上圧延を行なう間は、前記最終スタンドの出側における前記熱延鋼帯の温度に基づいて前記スタンド間スプレーの噴射水量を調整するフィードバック制御を行なうことを特徴とする請求項１に記載の熱延鋼板の仕上圧延方法。
【請求項３】
前記加速率βを付加して通板速度を増加しながら前記仕上圧延を行なう間は、前記仕上圧延機の第１スタンド入側における前記熱延鋼帯の温度に基づいてスタンド間スプレーの噴射水量を調整するフィードフォワード制御を行なうことを特徴とする請求項１または２に記載の熱延鋼板の仕上圧延方法。
【請求項４】
前記加速率βの付加を停止した後、前記最終スタンドの出側における前記熱延鋼帯の温度が予め設定された閾値Ｎを下回ると前記加速率βを付加して前記仕上圧延を行なうことを特徴とする請求項１〜３のいずれか一項に記載の熱延鋼板の仕上圧延方法。
【発明の詳細な説明】
【技術分野】
【０００１】
本発明は、品質の良い熱延鋼帯を効率良く製造することが可能な仕上圧延方法に関するものである。
【背景技術】
【０００２】
熱延鋼帯を製造するための熱間圧延ラインに設置される圧延機は粗圧延機と仕上圧延機に大別される。そして、近年、熱延鋼板に要求される特性が厳しさを増していく中で、良好な品質を得るために、仕上圧延機の出側に排出される熱延鋼帯の温度（以下、仕上出側温度という）の好適な範囲を、熱延鋼帯の成分や用途に応じて設定し、仕上出側温度をその範囲内に保ちながら仕上圧延を行なう技術が開発されている。
【０００３】
仕上出側温度を所定の範囲内に維持するための制御は、仕上圧延機を通過する熱延鋼帯の速度（以下、通板速度という）を低下すれば容易に行なうことができる。ところが通板速度の低下は、熱延鋼帯の生産性の低下を招く。そのため、
(a)仕上出側温度の制御の精度向上、すなわち熱延鋼帯の品質向上、
(b)熱延鋼帯の生産性向上、
を両立するための技術が検討されている。
【０００４】
たとえば特許文献１には、粗圧延機の出側と仕上圧延機の入側で熱延鋼帯の温度を測定し、その温度の測定値とトラッキングによる熱延鋼帯の位置情報とに基づいてスタンド間スプレーの噴射水量を調整するフィードフォワード制御を行なう技術が開示されている。しかしこの技術は、仕上出側温度の測定値に応じて通板速度を調整しないので、通板速度の増速と仕上出側温度の安定保持を両立させることは困難である。
【０００５】
特許文献２には、仕上圧延機の入側で熱延鋼帯の温度を測定し、その測定値と目標値との差に応じて通板速度を調整する技術が開示されている。この技術は、通板速度を適正に調整することによって生産性の向上が期待できるものの、仕上出側温度の測定値を通板速度の調整に反映しないので、仕上出側温度を目標範囲内に維持することは困難である。
【０００６】
特許文献３には、熱延鋼帯の仕上出側温度を測定し、その測定値と仕上出側温度の予測値に基づいて通板速度を段階的に加速する技術が開示されている。この技術は、熱間圧延ラインの操業開始から通板速度の変更を行なうものであるから、熱延鋼帯に作用する張力が安定する前（すなわち熱延鋼帯の先端が仕上圧延機から排出される前）に通板速度を変更することが許容され、その場合には、仕上出側温度を目標範囲内に維持することが困難になるという問題が生じる。しかも引用文献３の図３に開示された通板速度の推移によれば、時刻ｔ3からｔ4の間に通板速度の変更（すなわち加速率の付加）を４回行なっており、そのとき付加される加速率はいずれも異なっている。このような加速率自体の変更を多数回行なうためには、複雑な構成の設備が必要となるばかりでなく、操業管理も複雑になる。
【０００７】
つまり、上記した(a)(b)を簡便な手段で両立させる技術は未だ確立されていない。
【先行技術文献】
【特許文献】
【０００８】
【特許文献１】特開2012-40593号公報
【特許文献２】特開平10-277627号公報
【特許文献３】特開2012-223813号公報
【発明の概要】
【発明が解決しようとする課題】
【０００９】
本発明は、従来の技術の問題点を解消し、簡便な手段で、仕上出側温度制御の精度を向上することによって良好な品質の熱延鋼帯を安定して生産することができ、しかも熱延鋼帯の生産性の向上を図ることができる仕上圧延方法を提供することを目的とする。
【課題を解決するための手段】
【００１０】
本発明者は、仕上圧延を行ないながら通板速度を変更する技術について検討した。その結果、熱延鋼帯に安定した張力が作用する状態で、通板速度を変更（すなわち通板速度に加速率を付加）すれば、仕上圧延機の操業を問題なく継続できることが分かった。そこで、熱延鋼帯に作用する張力について詳細に研究した。その結果、
(A)熱延鋼帯の先端が仕上圧延機の最終スタンドから巻取機の方向へ排出されるまでは、熱延鋼帯の張力は必ずしも一定ではない、
(B)熱延鋼帯の先端が仕上圧延機の最終スタンドから巻取機の方向へ排出された後は、熱延鋼帯に安定した張力が作用する、
(C)熱延鋼帯の先端が巻取機に噛込むことによって、一層安定した張力が熱延鋼帯に作用する、
(D)熱延鋼帯の巻取りを行なう間は、張力の変動は発生しない
ということを見出した。したがって、熱延鋼帯の先端が仕上圧延機の最終スタンドから巻取機の方向へ排出された時に通板速度に加速率を付加することによって、生産性の向上を図ることができる。そして、熱延鋼帯の先端が巻取機に噛込んだ時に、通板速度をさらに増加させることによって、生産性を一層向上できる。
【００１１】
ただし、熱延鋼帯の通板速度を増加する（すなわち加速率を付加する）と、熱延鋼帯の仕上出側温度が上昇しやすくなる。そこで、仕上出側温度を目標範囲内に制御するための技術について研究した。その結果、
(E)通板速度を増加した後、熱延鋼帯の温度が上昇しすぎた時に通板速度を一定とし（すなわち加速率の付加を停止し）、仕上圧延機の各スタンド間に設置される冷却水スプレー（以下、スタンド間スプレーという）の噴射水量を調整することによって、その冷却能力を有効に活用できる、
(F)熱延鋼帯が十分に冷却された後に、再び加速率の付加を開始して通板速度を増加すれば、生産性の向上を図ることができる、
(G)加速率を一定値として変更せず、その付加開始と付加停止を繰り返すことによって、複雑な設備構成や操業管理が不要となる
ということを見出した。
【００１２】
本発明は、このような知見に基づいてなされたものである。
【００１３】
すなわち本発明は、熱間圧延ラインに設置される仕上圧延機の最終スタンドから熱延鋼帯の先端が巻取機の方向へ排出される前の通板速度を一定とし、熱延鋼帯の先端が最終スタンドから排出された後に巻取機に噛込むまで、通板速度の加速率をα（ｍ／分／秒）として仕上圧延を行ない、さらに、巻取機が熱延鋼帯の巻取りを開始した後、通板速度の加速率をβ（ｍ／分／秒）とし、かつα＜βとして仕上圧延を引き続き行ない、最終スタンドの出側における熱延鋼帯の温度が予め設定された閾値Ｍを超えると加速率βの付加を停止して引き続き仕上圧延を行ない、最終スタンドの出側における熱延鋼帯の温度が閾値Ｍ以下では加速率βを付加して仕上圧延を引き続き行なう熱延鋼板の仕上圧延方法である。
【００１４】
つまり、熱延鋼帯の先端が最終スタンドから排出される前の一定の通板速度をＶ1（ｍ／分）とすれば、熱延鋼帯の先端が最終スタンドから排出された後に巻取機に噛込むまでの通板速度は、加速率αの付加を開始した後の経過時間ｔ1（秒）に対して、
通板速度＝Ｖ1＋αｔ1
となる。また、巻取機が熱延鋼帯の巻取りを開始した後の通板速度は、熱延鋼帯の先端が巻取機に噛込んだ時の通板速度をＶ2（ｍ／分）とすれば、加速率βの付加を開始した後の経過時間ｔ2（秒）に対して、
通板速度＝Ｖ2＋βｔ2
となる。ここで通板速度は、最終スタンドのワークロールの回転速度を熱延鋼帯の進行速度に換算した値を意味する。
【００１５】
本発明の仕上圧延方法においては、加速率βの付加を停止して一定の通板速度で仕上圧延を行なう間は、最終スタンドの出側における熱延鋼帯の温度に基づいてスタンド間スプレーの噴射水量を調整するフィードバック制御を行なうことが好ましい。また、加速率βを付加して通板速度を増加しながら仕上圧延を行なう間は、仕上圧延機の第１スタンド入側における熱延鋼帯の温度に基づいてスタンド間スプレーの噴射水量を調整するフィードフォワード制御を行なうことが好ましい。さらに、加速率βの付加を停止した後、最終スタンドの出側における熱延鋼帯の温度が予め設定された閾値Ｎを下回ると加速率βを付加して仕上圧延を行なうことが好ましい。ここで、Ｎ＜Ｍである。
【発明の効果】
【００１６】
本発明によれば、簡便な手段で、仕上出側温度制御の精度を向上することによって良好な品質を有する熱延鋼帯を安定して生産することができ、しかも熱延鋼帯の生産性の向上を図ることができるので、産業上格段の効果を奏する。
【図面の簡単な説明】
【００１７】
【図１】本発明を適用する仕上圧延機の例を模式的に示す配置図である。
【図２】本発明の仕上圧延における通板速度の推移の例を示すグラフである。
【図３】本発明の仕上圧延における通板速度の推移の例を示すグラフである。
【図４】比較のために行なった仕上圧延における通板速度の推移を示すグラフである。
【発明を実施するための形態】
【００１８】
図１は、本発明を適用する仕上圧延機の例を模式的に示す配置図である。また図２は、本発明の仕上圧延における通板速度の推移の例を示すグラフである。以下では、図１、２を参照して７スタンドの仕上圧延機にて本発明の仕上圧延方法を適用する例について説明する。ただし、本発明を適用する仕上圧延機は７スタンドに限定するものではない。
【００１９】
熱延鋼帯２は、図１中の矢印Ｓの方向へ進行し、仕上圧延機１の最初のロールスタンド３（以下、第１スタンドという）から順次ロールスタンドを通過する間に仕上圧延を施されて、最終スタンド４（すなわち第７スタンド）から排出され、さらに巻取機（図示せず）で巻取られる。
【００２０】
第１スタンド３の入側には入側温度計５が配設され、最終スタンド４の出側には出側温度計６が配設される。また、第１スタンド３から最終スタンド４までの各スタンド間には、スタンド間スプレー７が配設され、熱延鋼帯２に冷却水を噴射する。
【００２１】
熱延鋼帯２の仕上圧延を開始する際には、その先端が第１スタンド３から順次ロールスタンドを通過していく。この時、各ロールスタンドによる熱延鋼帯２の拘束状態が刻々と変化するので、熱延鋼帯２に作用する張力は必ずしも一定ではない。そして、熱延鋼帯２の先端が最終スタンド４の出側に排出された時、熱延鋼帯２に作用する張力が安定する。このようにして熱延鋼帯２の先端が最終スタンド４から排出されるまでは通板速度を一定とし、その値をＶ1（ｍ／分）とする（図２参照）。なお、通板速度は、最終スタンド４のワークロールの回転速度を熱延鋼帯の進行速度に換算した値を意味する。
【００２２】
引き続き、熱延鋼帯２の先端は最終スタンド４から進行していき巻取機に噛込むが、熱延鋼帯２の先端が最終スタンド４の出側に排出された時に、通板速度に加速率α（ｍ／分／秒）を付加することによって、通板速度を増加しながら熱延鋼帯２が進行する。つまり熱延鋼帯２の先端が巻取機に噛込むまでの通板速度は、時間の経過とともに増加し、加速率αの付加を開始した後の経過時間をｔ1（秒）としてＶ1＋αｔ1である（図２参照）。ここでは熱延鋼帯２に作用する張力は安定しているので、通板速度を増加しても仕上圧延機１の操業に問題は生じない。
【００２３】
さらに、熱延鋼帯２は巻取機でコイルに巻取られるが、熱延鋼帯２の先端が巻取機に噛込んだ時に、通板速度に加速率β（ｍ／分／秒）を付加することによって、通板速度をさらに増加（すなわちα＜β）しながら仕上圧延を継続して、熱延鋼帯２を巻取る。熱延鋼帯２の巻取りを開始した後の通板速度は、熱延鋼帯２の先端が巻取機に噛込んだ時の通板速度をＶ2（ｍ／分）とすれば、加速率βの付加を開始した後の経過時間ｔ2（秒）に対して、Ｖ2＋βｔ2である。
【００２４】
このようにして通板速度を増加し続けると、スタンド間スプレー７による冷却能力が不足するようになり、その結果、熱延鋼帯２の仕上出側温度が上昇する。そこで最終スタンド４の出側の出側温度計６で仕上出側温度を測定し、その測定値と予め設定した閾値Ｍとを比較する。そして、仕上出側温度の測定値が閾値Ｍを超えると、加速率βの付加を停止して、一定の通板速度で仕上圧延を継続する。この時の通板速度をＶ3とする（図２参照）。
【００２５】
仕上圧延を一定の通板速度Ｖ3で行ないながら、スタンド間スプレー７による冷却能力を調整し、熱延鋼帯２の仕上出側温度が十分に低下すれば、加速率βの付加を再び開始する。加速率βの付加の再開は、加速率βの付加を停止した後の経過時間をタイマーで計測し、所定の時間が経過した時に行なう等の方法を使用できる。ただし、仕上出側温度を高精度で制御する観点から、仕上出側温度の測定値が予め設定した閾値Ｎを下回った時に加速率βの付加を再開するのが好ましい。ここで、Ｎ＜Ｍである。
【００２６】
加速率βの付加を再開した後の通板速度は、付加を再開した後の経過時間ｔ3（秒）に対して、Ｖ3＋βｔ3である。
【００２７】
こうして仕上圧延を継続して行ない、仕上出側温度の測定値が閾値Ｍを超えると、加速率βの付加を停止して、一定の通板速度で仕上圧延を継続する。この時の通板速度をＶ4とする（図２参照）。そして、熱延鋼帯２の仕上出側温度が十分に低下するまで、一定の通板速度Ｖ4で仕上圧延を行なう。
【００２８】
本発明では、通板速度に加速率βの付加開始と付加停止を繰り返す回数は特に限定しない。仕上出側温度の測定値と閾値Ｍ、Ｎとを比較しながら、加速率βの付加開始と付加停止を繰り返して、熱延鋼帯２の後端まで仕上圧延を行なうことによって、仕上出側温度の制御の精度を向上し、かつ熱延鋼帯２の生産性を向上することができる。しかも、加速率βの付加開始と付加停止を繰り返すという簡便な手段でそれらの効果を得ることができる。
【００２９】
加速率βの付加を停止して、一定の通板速度で仕上圧延を行なう間は、最終スタンド４の出側に設置した出側温度計６で測定した仕上出側温度の測定値に基づいてスタンド間スプレー７から噴射する冷却水の噴射水量を調整するフィードバック制御を行なうことが好ましい。その理由は、入側温度計５の測定値に基づくフィードフォワード制御を一定の通板速度で行なうと、熱延鋼帯２の仕上出側温度が変動し易いからである。
【００３０】
一方で、加速率βを付加して、通板速度を増加しながら仕上圧延を行なう間は、第１スタンド３の入側に設置した入側温度計５で熱延鋼帯２の温度を測定し、その測定値に基づいてスタンド間スプレー７から噴射する冷却水の噴射水量を調整するフィードフォワード制御を行なうことが好ましい。その理由は、通板速度を増加しながら、出側温度計６の測定値に基づくフィードバック制御を行なうと、熱延鋼帯２の仕上出側温度が変動し易いからである。
【００３１】
スタンド間スプレー７の噴射水量を調整する手段は、特に限定しない。たとえば、冷却水を噴射するノズルの個数を調整する、あるいは、ノズルに供給する冷却水量を調整する等の方法を使用できる。
【００３２】
なお本発明者の研究結果によれば、板厚1.2〜10mmの熱延鋼帯２に対して、加速率αを１〜15ｍ／分／秒の範囲内、加速率βを５〜50ｍ／分／秒の範囲内とすることが好ましい。
【実施例】
【００３３】
図１に示す仕上圧延機１を用いて熱延鋼帯２（板厚２mm、幅1200mm）の仕上圧延を本発明の方法で行なった。その手順について説明する。図３は、その仕上圧延における通板速度の推移を示すグラフである。
【００３４】
熱延鋼帯２の先端が最終スタンド４の出側に排出されるまで一定の通板速度で仕上圧延を行ない、熱延鋼帯２の先端が最終スタンド４の出側に排出された時に加速率α（８ｍ／分／秒）を付加して、通板速度を増加しながら仕上圧延を行なった。
【００３５】
そして、熱延鋼帯２の先端が巻取機に噛込んだ時に加速率β（20ｍ／分／秒）を付加して、通板速度をさらに増加しながら仕上圧延を行なった。この通板速度に加速率βを付加する期間は、入側温度計５で測定した熱延鋼帯２の温度に基づいてスタンド間スプレー７から噴射する冷却水の噴射水量を調整するフィードフォワード制御を行なった。
【００３６】
このようにして加速率βで通板速度を増加しながら仕上圧延を行ない、出側温度計６で測定した仕上出側温度が閾値Ｍ（875℃）を超えると、加速率βの付加を停止して、一定の通板速度で仕上圧延を継続した。この加速率βの付加を停止する期間は、出側温度計６で測定した仕上出側温度に基づいてスタンド間スプレー７から噴射する冷却水の噴射水量を調整するフィードバック制御を行なった。そして、出側温度計６で測定した仕上出側温度が閾値Ｎ（870℃）を下回った時に加速率βを再び付加して、通板速度をさらに増加しながら仕上圧延を行なった。これを発明例とする。
【００３７】
次に、比較のために行なった同じ寸法の熱延鋼帯２（板厚２mm、幅1200mm）の仕上圧延について説明する。図４は、その仕上圧延における通板速度の推移を示すグラフである。
【００３８】
熱延鋼帯２の先端が最終スタンド４の出側に排出されるまで一定の通板速度で仕上圧延を行ない、熱延鋼帯２の先端が最終スタンド４の出側に排出された時に加速率αを付加して、通板速度を増加しながら仕上圧延を行なった。
【００３９】
そして、熱延鋼帯２の先端が巻取機に噛込んだ時に加速率βを付加して、通板速度をさらに増加しながら仕上圧延を行ない、通板速度が予め設定した目標値に到達した後は一定の通板速度で仕上圧延を行なった。この加速率βを付加して通板速度を増加する期間、および加速率βの付加を停止して通板速度を一定とする期間は、出側温度計６で測定した仕上出側温度に基づいてスタンド間スプレー７から噴射する冷却水の噴射水量を調整するフィードバック制御を行なった。これを比較例とする。
【００４０】
発明例と比較例の仕上圧延において、出側温度計６による仕上出側温度の測定値がその許容範囲の上限値（890℃）を超える時間Ｔ（秒）を測定した。その結果を表１に示す。なお表１では、熱延鋼帯２の先端が最終スタンド４から排出された後に後端が排出されるまでの所要時間に対するＴの割合を温度外れ発生率（％）として示す。
【００４１】
【表１】
2016107323.tif 000003
【００４２】
表１から明らかなように、本発明では、仕上出側温度制御の精度が大幅に向上した。
【符号の説明】
【００４３】
１  仕上圧延機
２  熱延鋼帯
３  第１スタンド
４  最終スタンド
５  入側温度計
６  出側温度計
７  スタンド間スプレー
【図１】
2016107323.tif 000004
【図２】
2016107323.tif 000005
【図３】
2016107323.tif 000006
【図４】
2016107323.tif 000007